(57)【要約】      （修正有）【課題】複数の物品を適切に保護しながら美麗に配置することが可能な包装用容器を提供する。【解決手段】いずれもシート状物の成形体よりなる物品収容部材１０と物品収容部材の上部に被冠される透明カバー部材３０とからなり、物品収容部材は、下部外周部１１と、下部外周部の内側に形成された物品収容部２０と、物品収容部の中央に下部外周部より高く形成された山高部２１とを有しており、透明カバー部材は、物品収容部材の下部外周部に被着する下部被着部３１と、物品収容部上方を覆うドーム部３２と、ドーム部の中央にドーム部より高く形成されるとともに物品収容部材の山高部の裏側凹部２３に嵌入する中央凸部３５とを有する。【選択図】図２
0003207437.tif 000002
【実用新案登録請求の範囲】
【請求項１】
いずれもシート状物の成形体よりなる物品収容部材と前記物品収容部材の上部に被冠される透明カバー部材とからなり、
前記物品収容部材は、下部外周部と、前記下部外周部の内側に形成された物品収容部と、前記物品収容部の中央に前記下部外周部より高く形成された山高部とを有しており、
前記透明カバー部材は、前記物品収容部材の前記下部外周部に被着する下部被着部と、前記物品収容部上方を覆うドーム部と、前記ドーム部の中央に前記ドーム部より高く形成されるとともに前記物品収容部材の前記山高部の裏側凹部に嵌入する中央凸部とを有する
ことを特徴とする包装用容器。
【請求項２】
前記下部外周部に外段部が備えられ、前記外段部に前記透明カバー部材の前記下部被着部が当接する請求項１に記載の包装用容器。
【請求項３】
前記下部外周部と前記物品収容部は内周傾斜部を介して接続され、かつ、前記物品収容部と前記山高部は中央傾斜部を介して接続されている請求項１または２に記載の包装用容器。
【請求項４】
前記山高部と前記下部外周部とを接続して前記物品収容部を区画する複数の区画部が備えられる請求項１ないし３のいずれか１項に記載の包装用容器。
【請求項５】
前記下部外周部に溝部が形成される請求項１ないし４のいずれか１項に記載の包装用容器。
【考案の詳細な説明】
【技術分野】
【０００１】
本考案は、包装用容器に関し、特に複数の物品が収容される包装用容器に関する。
【背景技術】
【０００２】
一般に、イチゴ、イチヂク、ビワ等の果物や、トマト等の野菜のように、比較的傷みやすい青果物等の物品は、流通や店頭での陳列等に際し、衝撃等からの保護を目的として包装用容器に適宜収容される。特に、比較的小型の物品にあっては、複数個の物品が単一の容器にまとめて収容される。
【０００３】
例えば、複数個の物品を収容する容器は、物品収容部が皿状または箱状に形成される（例えば、特許文献１参照）。このような包装用容器では、物品収容部内に、複数の物品が敷き詰められるようにして収容される。しかしながら、この容器では、複数の物品同士が互いに接触するため、長時間の収容等の際に物品に傷みが生じるおそれがある。
【０００４】
そこで、物品が個別に配置される凹部が複数形成された物品収容部を有する包装容器が知られている（例えば、特許文献２参照）。この容器では、複数の物品同士の接触を回避することが可能であるため、物品同士の接触による傷みの発生を防止することができる。
【０００５】
この種の包装用容器にあっては、収容される物品の並べ方等の外観が、購入者の購買意欲に影響を及ぼすことがある。そこで、物品の保護とともに、物品収容時の外観性にも優れた包装用容器が求められている。
【先行技術文献】
【特許文献】
【０００６】
【特許文献１】実登３１４３８４３号公報
【特許文献２】実登３１７６００７号公報
【考案の概要】
【考案が解決しようとする課題】
【０００７】
本考案は、前記の点に鑑みなされたものであり、複数の物品を適切に保護しながら美麗に配置することが可能な包装用容器を提供する。
【課題を解決するための手段】
【０００８】
すなわち、請求項１の考案は、いずれもシート状物の成形体よりなる物品収容部材と前記物品収容部材の上部に被冠される透明カバー部材とからなり、前記物品収容部材は、下部外周部と、前記下部外周部の内側に形成された物品収容部と、前記物品収容部の中央に前記下部外周部より高く形成された山高部とを有しており、前記透明カバー部材は、前記物品収容部材の前記下部外周部に被着する下部被着部と、前記物品収容部上方を覆うドーム部と、前記ドーム部の中央に前記ドーム部より高く形成されるとともに前記物品収容部材の前記山高部の裏側凹部に嵌入する中央凸部とを有することを特徴とする包装用容器に係る。
【０００９】
請求項２の考案は、前記下部外周部に外段部が備えられ、前記外段部に前記透明カバー部材の前記下部被着部が当接する請求項１に記載の包装用容器に係る。
【００１０】
請求項３の考案は、前記下部外周部と前記物品収容部は内周傾斜部を介して接続され、かつ、前記物品収容部と前記山高部は中央傾斜部を介して接続されている請求項１または２に記載の包装用容器に係る。
【００１１】
請求項４の考案は、前記山高部と前記下部外周部とを接続して前記物品収容部を区画する複数の区画部が備えられる請求項１ないし３のいずれか１項に記載の包装用容器に係る。
【００１２】
請求項５の考案は、前記下部外周部に溝部が形成される請求項１ないし４のいずれか１項に記載の包装用容器に係る。
【考案の効果】
【００１３】
請求項１の考案に係る包装用容器によると、いずれもシート状物の成形体よりなる物品収容部材と前記物品収容部材の上部に被冠される透明カバー部材とからなり、前記物品収容部材は、下部外周部と、前記下部外周部の内側に形成された物品収容部と、前記物品収容部の中央に前記下部外周部より高く形成された山高部とを有しており、前記透明カバー部材は、前記物品収容部材の前記下部外周部に被着する下部被着部と、前記物品収容部上方を覆うドーム部と、前記ドーム部の中央に前記ドーム部より高く形成されるとともに前記物品収容部材の前記山高部の裏側凹部に嵌入する中央凸部とを有するため、複数の物品を適切に保護しながら美麗に配置することができるとともに、複数の包装用容器が所定位置で適切に積み重ねやすくなって積み重ね時の安定性が向上される。
【００１４】
請求項２の考案に係る包装用容器によると、請求項１の考案において、前記下部外周部に外段部が備えられ、前記外段部に前記透明カバー部材の前記下部被着部が当接するため、物品収容部材が嵩上げされて衝性能等の保護効果や保温（保冷）性が向上されるとともに、透明カバー部材が物品収容部材に適切に固定される。
【００１５】
請求項３の考案に係る包装用容器によると、請求項１または２の考案において、前記下部外周部と前記物品収容部は内周傾斜部を介して接続され、かつ、前記物品収容部と前記山高部は中央傾斜部を介して接続されているため、収容された物品の転倒等が抑制される。
【００１６】
請求項４の考案に係る包装用容器によると、請求項１ないし３のいずれかの考案において、前記山高部と前記下部外周部とを接続して前記物品収容部を区画する複数の区画部が備えられるため、隣り合う物品同士の接触が回避されて損傷の発生が抑制されるとともに、複数の物品が山高部の周囲に整然と配置されて美麗な陳列状態を創出することができる。
【００１７】
請求項５の考案に係る包装用容器によると、請求項１ないし４のいずれかの考案において、前記下部外周部に溝部が形成されるため、物品収容部の通気性が確保されるとともに、物品収容部内の水を排出することができる。
【図面の簡単な説明】
【００１８】
【図１】本考案の第一実施形態に係る包装用容器の斜視図である。
【図２】図１の包装用容器の断面図である。
【図３】第一実施形態に係る物品収容部材の平面図である。
【図４】第二実施形態に係る物品収容部材の斜視図である。
【図５】図４の物品収容部材の平面図である。
【図６】第三実施形態に係る物品収容部材の平面図である。
【図７】下部被着部と下部外周部との被着状態を表した部分断面図である。
【図８】複数の包装用容器を積み重ねた状態を表した断面図である。
【考案を実施するための形態】
【００１９】
図１，２に示す包装用容器１（第一実施形態）は、複数の物品を収容する容器であって、物品収容部材１０と、透明カバー部材３０とからなる。この包装用容器１に収容される物品Ｍは、主としてイチゴ、イチヂク、ビワ、キウイ等の果物や、トマト等の野菜等の比較的傷みやすい青果物等である。また、物品Ｍは青果物等に限らず、アメ、チョコレート、洋菓子、和菓子等の菓子類、アクセサリー等の小物類等、比較的小型な適宜の物品が挙げられる。
【００２０】
包装用容器１を構成する物品収容部材１０及び透明カバー部材３０は、いずれもシート状物の成形体よりなる。物品収容部材１０の材質は、例えば、ポリエチレン、ポリプロピレン、ポリスチレン、ポリウレタン等の公知の合成樹脂発泡体を主体とする材料や、ポリエチレン、ポリプロピレン、ポリスチレン、ポリエチレンテレフタレート等の熱可塑性樹脂のシート（合成樹脂シート）、さらにはポリ乳酸等の生分解性樹脂の熱可塑性樹脂のシート等が挙げられる。これらの材料は、成形が容易であるとともに、柔軟性や保護製を有する。特に、合成樹脂発泡体は、優れた緩衝性及び保温（保冷）性を備えており、青果物等の食品類の物品の収容に適している。
【００２１】
透明カバー部材３０の材質は、ポリエチレン、ポリプロピレン、ポリスチレン、ポリエチレンテレフタレート等の熱可塑性樹脂のシート（合成樹脂シート）、さらにはポリ乳酸等の生分解性樹脂の熱可塑性樹脂のシート等が挙げられる。特に、透明カバー部材３０は無着色または着色の透明または半透明の樹脂シート材で形成されることにより、包装用容器１に収容された物品Ｍが視認可能となる。なお、物品収容部材１０と透明カバー部材３０との組み合わせにおいて、原料樹脂は同一種類としてもよいし、異なる種類としてもよい。樹脂の種類は用途、内容物、包装対象等により適宜選択される。
【００２２】
物品収容部材１０は、複数の物品Ｍを保護するとともに、放射状に陳列して収容するための部材であって、図１〜３に示すように、下部外周部１１と、物品収容部２０と、山高部２１とを有する。下部外周部１１は、物品収容部材１０の外形を構成する部位であり、略円周状に立設された壁部に相当する。物品収容部２０は、下部外周部の内側に形成された凹部であり、物品Ｍは同物品収容部２０に収容される。山高部２１は、物品収容部２０の中央に下部外周部１１より高く形成された突出部である。山高部２１により、物品Ｍの載置は容易となる。この物品収容部材１０において、下部外周部１１と物品収容部２０は、下部外周部１１の上部から物品収容部２０の下部に向かって傾斜する内周傾斜部１２を介して接続されている。また、物品収容部２０と山高部２１は、山高部２１の上部から物品収容部２０の下部に向かって傾斜する中央傾斜部２２を介して接続されている。なお、図２中の符号２３は、山高部２１の突出に伴ってその裏側に形成される裏側凹部である。
【００２３】
この物品収容部材１０では、図３に示すように、山高部２１を中心としてその周囲の物品収容部２０に複数の物品Ｍが放射状に収容される。物品収容部２０に載置される物品Ｍは、下部外周部１１の内周傾斜部１２と山高部２１の中央傾斜部２２とで前後を支持されて、転倒等が抑制される。また、物品収容部材１０は、図１，２に示すように、下部外周部１１に外段部１５が備えられている。外段部１５は、下部外周部１１の下端と連接する平面部１６と、平面部１６から垂下して形成された持上部１７とを有する。外段部１５では、持上部１７により物品収容部材１０が嵩上げされて、物品収容部２０の下方に適度な空間が形成される。これにより、通気性が確保されて保温（保冷）性が向上されるとともに、緩衝性能等の保護効果も向上される。
【００２４】
物品収容部材１０では、青果物等の物品Ｍを収容する場合に、図１〜３に示すように、下部外周部１１に溝部１３が形成される。溝部１３は、下部外周部１１の上側の一部を切欠いて凹状に貫通された部位であり、物品収容部２０の通気性の確保や、物品収容部２０内に溜まった水を排出する水抜き部として作用する。
【００２５】
物品収容部材１０では、図１〜３に示すように、物品収容部２０を区画する複数の区画部２５が備えられる。区画部２５は、物品収容部２０が下部外周部１１と山高部２１とを接続する隔壁部２６によって区切られた部位である。隔壁部２６には、下部外周部１１の内周傾斜部１２及び山高部２１の中央傾斜部２２の双方の傾斜面と連続して傾斜する隔壁傾斜部２７が形成されている。この区画部２５は、複数の物品Ｍを個別に収容するための収容部となる。そのため、複数の物品Ｍは、山高部２１の周囲に放射状で整然と配置される。また、複数の物品Ｍでは、物品収容部２０を区画する隔壁部２６が隣り合う物品Ｍ，Ｍ間に介在されるため、物品同士の接触が回避される。そのため、物品同士の接触による損傷の発生を抑制することができる。なお、区画部２５内に収容される物品Ｍは、内周傾斜部１２と中央傾斜部２２と隔壁傾斜部２７とによって下部が包まれるように保持されるため、安定して収容されるとともに保護効果も向上される。
【００２６】
ここで、第一実施形態に係る物品収容部材１０Ａについて説明する。物品収容部材１０Ａは、図１〜３に示すように、物品収容部２０が４つの隔壁部２６により４等分されて４つの区画部２５を有しており、各区画部２５にそれぞれ１つずつの物品Ｍが個別に収容される。図示の区画部２５では、平面視涙滴形状に形成されている。各区画部２５の下部外周部１１には、それぞれ溝部１３が設けられている。この物品収容部材１０Ａにあっては、４つの区画部２５が山高部２１を中心に９０°回転させた位置関係となる。そのため、収容される４つの物品Ｍは、山高部２１の周囲に等間隔で放射状に四方へ配置されて、幾何学的で美麗な陳列状態が創出される。なお、物品収容部材１０Ａに収容される物品としては、個別に収容されることから、物品同士の接触を回避することが好ましい比較的傷みやすい青果物等が適している。
【００２７】
図４，５は、第二実施形態に係る物品収容部材１０Ｂである。物品収容部材１０Ｂは、山高部２１の周囲に区画部（隔壁部）を有しないリング状の物品収容部２０Ｂが形成された例である。この物品収容部材１０Ｂは、図４に示すように、形状が簡素化されているため、成形が容易である。また、この物品収容部材１０Ｂでは、区画部（隔壁部）を有しないため、図５に示すように、放射状に収容される物品Ｍを比較的任意にかつ多数配置することが可能となる。特に、異なる大きさや形状の物品Ｍ１，Ｍ２，Ｍ３を適切に収容することができる。なお、物品収容部材１０Ｂに収容される物品としては、物品同士が接触する可能性があることから、接触しても損傷しにくい青果物や小物類や菓子類等が適している。
【００２８】
図６は、第三実施形態に係る物品収容部材１０Ｃである。物品収容部材１０Ｃは、物品収容部２０が５つの隔壁部２６により５等分されて５つの区画部２５を有しており、各区画部２５の下部外周部１１にそれぞれ溝部１３が設けられている。この物品収容部材１０Ｃでは、５つの区画部２５が山高部２１を中心に７２°回転させた位置関係となる。この区画部２５は、第一実施形態とは大きさが異なる平面視涙滴形状である。物品収容部材１０Ｃにあっては、第一実施形態に係る物品収容部材１０Ａと同様に、各区画部２５にそれぞれ１つずつの物品Ｍが個別に収容されるため、収容される５つの物品Ｍが山高部２１の周囲に等間隔で放射状に配置されて、幾何学的で美麗な陳列状態が創出される。
【００２９】
なお図示しないが、複数の区画部２５は、第一実施形態の４等分や第三実施形態の５等分に限らず、三等分、六等分、八等分、十等分等、適宜の数で区画することができる。また、区画に際しては、配置の外観性を損なわないのであれば、等分以外とする区画にしても構わない。例えば、等分以外に区画した際の平面視の形状は、大きさ等が異なる複数種類の涙滴形状、複数種類の扇形状、複数種類の三角形、複数種類の四角形（ひし形）、またはこれらの組み合わせ等、適宜である。このように多様な形状の区画部により、各区画部の形状に対応して大きさ、形状、種類等がそれぞれ異なる多種の物品を単一の物品収容部材に収容することが可能となる。従って、バラエティに富んだ物品の陳列が可能であり、当該包装用容器１の利用範囲の拡大を図ることができる。
【００３０】
透明カバー部材３０は、図１，２に示すように、物品収容部材１０の上部に被冠されて物品収容部材１０内に収容された物品Ｍを保護する部材であり、下部被着部３１と、ドーム部３２と、中央凸部３５とを有する。下部被着部３１は、図２，７に示すように、物品収容部材１０の下部外周部１１に被着する部位である。下部被着部３１の被着位置は、図７（ａ）に示すように下部外周部１１の外周面１１ａである。また、下部外周部１１に外段部１５が形成されている場合には、図７（ｂ）に示すように、外段部１５の持上部１７の外周面１７ａに下部被着部３１を当接（被着）させてもよい。下部被着部３１は下部外周部１１または外段部１５への被着により嵌合状態となるため、透明カバー部材３０が物品収容部材１０に適切に固定される。
【００３１】
ドーム部３２は、図２に示すように、物品収容部２０上方を覆う部位である。このドーム部３２は、透明カバー部材３０の天面部分に相当し、下部被着部３１から延設されたカバー壁部３１ａの上端に連接される。
【００３２】
中央凸部３５は、図２に示すように、ドーム部３２の中央にドーム部３２より高く形成された突出部分である。この中央凸部３５は、図８に示すように、物品収容部材１０の山高部２１の裏側凹部２３に嵌入される。図８において、符号１Ｘは下側の包装用容器、１Ｙは上側の包装用容器、１０ｘは下側の包装用容器１Ｘの物品収容部材、１０ｙは上側の包装用容器１Ｙの物品収容部材、２０ｘは下側の包装用容器１Ｘの物品収容部、２０ｙは上側の包装用容器１Ｙの物品収容部、２１ｘは下側の包装用容器１Ｘの山高部、２１ｙは上側の包装用容器１Ｙの山高部、２３ｘは下側の包装用容器１Ｘの裏側凹部、２３ｙは上側の包装用容器１Ｙの裏側凹部、３０ｘは下側の包装用容器１Ｘの透明カバー部材、３０ｙは上側の包装用容器１Ｙの透明カバー部材、３５ｘは下側の包装用容器１Ｘの中央凸部、３５ｙは上側の包装用容器１Ｙの中央凸部である。
【００３３】
ここで、中央凸部３５が裏側凹部２３に嵌入される状態について説明すると、図８に示すように、複数の包装用容器（下側の包装用容器１Ｘ、上側の包装用容器１Ｙ）を積み重ねる場合、すなわち、下側の包装用容器１Ｘの透明カバー体３０ｘ上に上側の包装用容器１Ｙの物品収容部材１０ｙが重ねられる場合が挙げられる。このような場合に下側の透明カバー体３０ｘの中央凸部３５ｘは、上側の物品収容部材１０ｙの山高部２１ｙの裏側凹部２３ｙに嵌入される。そのため、複数の包装用容器１Ｘ，１Ｙが所定位置で適切に積み重ねやすくなるとともに、積み重ね時の安定性が向上される。このように、複数の包装用容器１Ｘ，１Ｙが安定して積み重ねられることにより、搬送等の際に容易に省スペース化を図ることが可能となる。また、一回あたりの搬送個数も容易に増やすことができる。
【００３４】
この透明カバー部材３０にあっては、透明な樹脂シート材によって形成されることにより、物品収容部材１０に放射状に陳列された複数の物品Ｍを、視認可能な状態で保護することができる。特に、物品収容部材１０に複数の物品Ｍが美麗に陳列された状態で透明な成形体である透明カバー部材３０が被冠されることにより、外観性が際立って高級感が創出される。そのため、消費者の購買意欲の促進が期待できる。
【産業上の利用可能性】
【００３５】
以上のとおり、本考案の包装用容器は、複数の物品の美麗な陳列が可能であることにより、消費者の購買意欲の促進が期待される。従って、傷みやすい青果物の他、菓子類や小物類等比較的小型な種々の物品が収容される従来の包装用容器の代替となり得る。
【符号の説明】
【００３６】
１，１Ｘ，１Ｙ      包装用容器
１０，１０Ａ，１０Ｂ，１０Ｃ，１０ｘ，１０ｙ    物品収容部材
１１    下部外周部
１１ａ  下部外周部の外周面
１２    内周傾斜部
１３    溝部
１５    外段部
１６    平面部
１７    持上部
１７ａ  持上部の外周面
２０，２０Ｂ，２０ｘ，２０ｙ    物品収容部
２１，２１ｘ，２１ｙ    山高部
２２    中央傾斜部
２３，２３ｘ，２３ｙ    裏側凹部
２５    区画部
２６    隔壁部
２７    隔壁傾斜部
３０，３０ｘ，３０ｙ    透明カバー部材
３１    下部被着部
３１ａ  カバー壁部
３２    ドーム部
３５，３５ｘ，３５ｙ    中央凸部
Ｍ，Ｍ１，Ｍ２，Ｍ３      物品
【図１】
0003207437.tif 000003
【図２】
0003207437.tif 000004
【図３】
0003207437.tif 000005
【図４】
0003207437.tif 000006
【図５】
0003207437.tif 000007
【図６】
0003207437.tif 000008
【図７】
0003207437.tif 000009
【図８】
0003207437.tif 000010